(57)【要約】【課題】      釣り用履物のソックス部を底部と甲部材を接合して形成すると甲部材の弾性で底部との接合部が甲部材側に引き上げられてしまい、つま先部では接合部に足が当たりやすくなって靴擦れを起こしやすくなること。【解決手段】  ウエーダ１は、ズボン状の胴部２と、この胴部２の一対の挿通部２ｂ、２ｂの下端側にそれぞれ取り付けたソックス部３、３で形成され、ソックス部３は、甲部４と底部５をそれぞれ形成する発泡材シート片を接合して形成される。甲部４を形成する発泡材シートより底部５を形成する発泡材シートの方が厚味が大きく伸びが小さいため、甲部４がつま先３ａの先端部Ｐに向かう傾斜が底部５がつま先３ａの先端部Ｐに向かう傾斜より急傾斜に形成されている。【選択図】        図４
2010125072.tif 000002
【特許請求の範囲】
【請求項１】
発泡材シートからなる甲部と底部を接合してソックス部を形成し、該ソックス部の前記甲部と前記底部のつま先の接合部に向かう傾斜が前記底部よりも前記甲部の方が急傾斜に形成されていることを特徴とする釣り用履物。
【請求項２】
ソックス部の前記底部は前記甲部より伸びの小さい材料で形成したことを特徴とする請求項１に記載の釣り用履物。
【請求項３】
ソックス部の前記底部は前記甲部より厚味が大きいことを特徴とする請求項１または２に記載の釣り用履物。
【発明の詳細な説明】
【技術分野】
【０００１】
本発明は、発泡材シートからなるソックス部を有する釣り用履物に関する。
【背景技術】
【０００２】
従来から釣りを行う時には、釣り靴やウエーダなどの釣り用履物が用いられている。
釣り用履物は、河原や磯場を歩いたり水の中に立ち込んで水底を歩行することために滑りを防止したり水に濡れないようにするため着用し、ウエーディングシューズ、足袋、長靴の他、ズボンが一体に形成されたウエーダ、タイツなどが使用されている。
【０００３】
釣り用履物は、足を差し込む部分に柔軟な発泡材シートで形成したソックス部が取り付けられ足の動きを阻害しないで足を保護できるようになっていたり、防水性を持たせて水に濡れないようになっている。
【０００４】
特許文献１には、足の形に合わせて複数のシート状の材料をその端部で接合して形成したソックス部を有する釣り用長靴が記載されている。
この釣り用長靴のソックス部は、底部材に複数の甲部材を接合して形成しているため容易に足形に形成できるが、底部材は周辺に沿って接合部が形成され、甲部材の弾性で接合部が甲部材側に引き上げられてしまうため、特につま先部では接合部に足が当たりやすくなって靴擦れを起こす虞があった。
【特許文献１】実願平４−４２５２
【発明の開示】
【発明が解決しようとする課題】
【０００５】
解決しようとする課題は、釣り用履物のソックス部を底部と甲部材を接合して形成すると甲部材の弾性で底部との接合部が甲部材側に引き上げられてしまい、つま先部では接合部に足が当たりやすくなって靴擦れを起こしやすくなること。
【０００６】
本発明の目的は前記欠点に鑑み、甲部と底部を接合して形成してもつま先部で接合部が足に当たらないソックス部を有する釣り用履物を提供することである。
【課題を解決するための手段】
【０００７】
上記課題を解決するために、
請求項１に係わる本発明は、発泡材シートからなる甲部と底部を接合してソックス部を形成し、該ソックス部の前記甲部と前記底部のつま先の接合部に向かう傾斜が前記底部よりも前記甲部の方が急傾斜に形成されていることを要旨とするものである。
請求項２に係わる本発明は、ソックス部の前記底部は前記甲部より伸びの小さい材料で形成したことを要旨とするものである。
請求項３に係わる本発明は、ソックス部の前記底部は前記甲部より厚味が大きいことを要旨とするものである。
【発明の効果】
【０００８】
本発明によると、釣り用履物のソックス部の接合部がつま先部で足に当たることを防止できる。
【発明を実施するための最良の形態】
【０００９】
以下、本発明の実施形態を図面に基づき説明すると、図１から図４は本発明の実施例で、図１は釣り用履物の全体図、図２はソックス部の分解図、図３はソックス部の全体図、図４はソックス部のつま先部分の拡大断面図である。
【００１０】
本願の釣り用履物をストッキング型のウエーダ１で説明すると、ウエーダ１は、上方に履き口２ａを有し、両脚を挿通する一対の挿通部２ｂ、２ｂが形成されたズボン状の胴部２と、この胴部２の一対の挿通部２ｂ、２ｂの下端側にそれぞれ取り付けたソックス部３、３で形成されている。
【００１１】
胴部２はゴムや合成樹脂のシート、または、これらのシートの表面に補強シートを添着した防水性材料や防水透湿性材料で形成されている。
胴部２は左右の部材の端部同士を接着してズボン状に形成されている。
【００１２】
ソックス部３は、甲部４（外側甲部４ａと内側甲部４ｂ）と底部５をそれぞれ形成する発泡材シート片を接合して形成される。
外側甲部４ａと内側甲部４ｂは、甲および足首のそれぞれ外側と内側（左側と右側）を覆うように甲部正面と足首後部にて上下方向に互いに対応する端面を向かい合わせ状にして接着されている。
【００１３】
ソックス部３の甲部４（外側甲部４ａと内側甲部４ｂ）と底部５は、クロロプレンゴム等のゴムやウレタン等の合成樹脂の発泡材シートで形成された本体シートＡとこの本体シートＢの表面にナイロン等合成樹脂繊維の織布からなる補強シートａを添着した防水性および伸縮性を有する材料で形成される。
【００１４】
外側甲部４ａと内側甲部４ｂの対応する端面が前側接合部Ｓ２、後側接合部Ｓ３で接着されてソックス部３の甲部４が形成され、この底側に底部５を形成する発泡材シート片が接着で接合されて底側を閉塞し袋状のソックス部３が形成されている。
外側甲部４ａと内側甲部４ｂで形成された甲部４の底側周縁の端面にこれに対応する底部５の周縁の端面が底部接合部Ｓ４にて接着されている。
【００１５】
ソックス部３、３は、それぞれ胴部２の一対の挿通部２ｂ、２ｂの下端側に脚を挿通可能に内部空間を連通させて胴部接合部Ｓ１で接着で固定される。
【００１６】
ソックス部３の外側甲部４ａと内側甲部４ｂからなる甲部４と底部５の接合部はソックス部３の底側に沿って周回するように底部接合部Ｓ４として形成されている。
甲部４を形成する外側甲部４ａと内側甲部４ｂより底部５を形成する発泡材シートの方が厚味が大きく、外側甲部４ａと内側甲部４ｂより伸びが小さく、折り曲げにくくなっている。
【００１７】
したがって、図４のように甲部４の外側甲部４ａ、内側甲部４ｂと底部５を接合すると、底部５側より甲部４側が強く引かれるため、つま先３ａの先端部Ｐはつま先３ａの上下高さにおいてその中央部Ｃ（Ｃを通る水平線Ｉ）より底部５側に位置する。
つまり、底部５がつま先３ａの先端部Ｐに向けて湾曲状に変移する位置に甲部４側から下ろした垂線Ｈをつま先３ａ高さとすると甲部４と底部５の底部接合部Ｓ４はつま先３ａの上下高さの中央部Ｃ（中央部Ｃを通る水平線Ｉ）よりも下方に位置する。
【００１８】
甲部４がつま先３ａの先端部Ｐに向かう方向に沿った線分Ｔ５は、底部５がつま先３ａの先端部Ｐに向かう方向に沿った線分Ｔ６より急傾斜に形成されている。
つまり、つま先３ａの先端部Ｐを通る水平線Ｓと線分Ｔ５が交差する角度Ｋ５は線分Ｔ６が水平線Ｓと交差する角度Ｋ６よりも大きい。
【００１９】
したがって、ソックス部３に差し入れた足Ｆの足先は、つま先３ａの内側にてつま先３ａの高さの中央部Ｃよりも上方で接し、甲部４と底部５の底部接合部Ｓ４には当たりにくくなっている。
しかも、甲部４のつま先３ａの先端部Ｐに向かう方向が急傾斜に形成されて足Ｆの足先に対し、正面側から対向するように形成されるため足Ｆの足先が当接したときに緩衝効果が大きくなる。
【００２０】
甲部４の外側甲部４ａ、内側甲部４ｂに対する底部５の伸びを小さくする手段として底部５の厚味を大きくしたが、このほかに底部５を形成する材料を甲部４を形成する材料より硬い材料を用いたり、底部５を形成する発泡材シートに添設された補強シートを発泡材シートより伸びの小さい材料を用いたり、さらに、少なくともつま先３ａ方向への伸びが小さくなるようにに織布の繊維を配向してもよい。
【００２１】
なお、実施例では、釣り用のストッキング型のウエーダ又はタイツで説明したが、釣り靴は図３のソックス部３の底部５の底側にフエルトやゴム等のソールを固定するだけで形成できるため、釣り用の短靴、釣り用の深靴、長靴、釣り用足袋、長靴や胴長靴などの靴付きのウエーダに採用することもできる。
【００２２】
なお、釣り用靴や靴付きのウエーダは、ソックス部が靴内部に配されるが本願はこれらのソックス部を有する釣り用履物も含む。
【産業上の利用可能性】
【００２３】
本発明は、釣り用履物全般に利用できる。
【図面の簡単な説明】
【００２４】
【図１】図１は、ウエーダの正面図である。
【図２】図２は、ソックス部の分解図である。
【図３】図３は、ソックス部の全体図である。
【図４】図４は、ソックス部つま先部分の拡大断面図である。
【符号の説明】
【００２５】
１    ウエーダ（釣り用履物）
２    胴部
３    ソックス部
４    甲部
５    底部
【図１】
2010125072.tif 000003
【図２】
2010125072.tif 000004
【図３】
2010125072.tif 000005
【図４】
2010125072.tif 000006